(57)【要約】【課題】  解錠時にロック部材を保持しておく機構を不要として構成の簡略化を図り、これにより装置の小型化ならびに製造コストの低減を図るとともに、アクチュエータ側が破損しても施錠されないようにできるステアリングロック装置を提供すること。【解決手段】  ロック部材２がステアリングシャフトに係合して施錠状態となるステアリングロック装置において、外部の操作部に対する操作に対応してソレノイド３１の駆動状態を切り替えることでロック部材２の位置をロック位置とロック解除位置とに切り替える切替駆動手段３として、ソレノイド３１によりロック位置方向に駆動されるロック駆動部材３２と、ロック駆動部材３２をロック解除方向に付勢する解除用ばね３３と、ロック部材２をロック駆動部材３２に対してロック位置方向に付勢するロック用ばね３４とを設けた手段とした。【選択図】      図１
2005053336.tif 000002
【特許請求の範囲】
【請求項１】
ステアリングシャフトに係合して操舵不能の施錠状態とするロック位置と前記ステアリングシャフトとの係合を外して操舵可能な解錠状態とするロック解除位置とに移動可能にハウジングに支持されたロック部材と、
外部の操作部に対する操作に対応してアクチュエータの駆動状態を切り替えることでロック部材の位置をロック位置とロック解除位置とに切り替える切替駆動手段と、
を備えたステアリングロック装置において、
前記切替駆動手段として、
前記アクチュエータによりロック位置方向に駆動し、かつ、前記ロック部材に対してロック解除方向に係合する一方でロック方向には係合せずに所定量空走するよう設けたロック駆動部材と、
このロック駆動部材とハウジングとの間に介在して、ロック駆動部材をロック解除方向に付勢する解除用付勢手段と、
前記ロック駆動部材とロック部材との間に介在して、ロック部材をロック駆動部材に対してロック位置方向に付勢するロック用付勢手段と、
を設けたことを特徴とするステアリングロック装置。
【請求項２】
請求項１に記載のステアリングロック装置において、
前記ロック駆動部材をロック部材に対して移動方向に直交する方向に重ねて配置し、
前記解除用付勢手段とロック用付勢手段とを、前記ロック駆動部材のロック位置方向側に並列に設けたことを特徴とするステアリングロック装置。
【請求項３】
請求項１に記載のステアリングロック装置において、
前記ロック駆動部材をロック部材に対してロック解除方向側に重ねて配置するとともに、前記ロック駆動部材からロック部材に向けて、ロック部材に対してロック解除方向に相対移動した時に係合し、その逆のロック方向に移動した時に係合せずに空走する引上係合部を延ばし、
前記解除用付勢手段とロック用付勢手段とを、大径のコイルばねと小径のコイルばねとにより形成するとともに、前記ロック駆動部材のロック位置方向側に同軸に内外二重に設けたことを特徴とするステアリングロック装置。
【発明の詳細な説明】
【技術分野】
【０００１】
本発明は、自動車などの操舵を行うステアリングシャフトを、アクチュエータを駆動させて施錠および解錠するステアリングロック装置に関する。
【背景技術】
【０００２】
従来、ステアリングロック装置として、ステアリングシャフトに係脱するロック部材を駆動させる切替駆動手段が、ロック部材をステアリングシャフトとの係合方向に付勢する第１のばね部材と、ロック部材をステアリングシャフトとの係合を解除する方向に駆動させるロック解除部材と、このロック解除部材を係合解除方向に付勢する第２のばね部材と、ギア機構およびモータから成る駆動手段とで構成されているものが知られている（例えば、特許文献１参照）。
【特許文献１】特許第３１７４００６号公報（特許請求の範囲、図１）
【発明の開示】
【発明が解決しようとする課題】
【０００３】
しかしながら、上述の従来のステアリングロック装置にあっては、ロック部材が第１のばね部材により常にロック位置方向に付勢されているため、解錠時にはロック解除部材により常にロック部材をロック解除位置に保持しておく必要があり、この保持のための構成が必要で構成が複雑になり、小型化が困難であるとともに、部品コストが嵩むという問題があった。
さらに、解錠時にロック部材を保持する機構の部分が破損した場合、ロック部材がロック位置に移動して施錠されてしまうという問題があった。
【０００４】
本発明は、上述の従来の問題点に着目して成されたもので、解錠時にロック部材を保持しておく機構を不要として構成の簡略化を図り、これにより装置の小型化ならびに製造コストの低減を図るとともに、アクチュエータ側が破損しても施錠されないようにできるステアリングロック装置を提供することを目的としている。
【課題を解決するための手段】
【０００５】
上述の目的を達成するため、本発明は、
ステアリングシャフトに係合して操舵不能の施錠状態とするロック位置と前記ステアリングシャフトとの係合を外して操舵可能な解錠状態とするロック解除位置とに移動可能にハウジングに支持されたロック部材と、
外部の操作部に対する操作に対応してアクチュエータの駆動状態を切り替えることでロック部材の位置をロック位置とロック解除位置とに切り替える切替駆動手段と、
を備えたステアリングロック装置において、
前記切替駆動手段として、
前記アクチュエータによりロック位置方向に駆動し、かつ、前記ロック部材に対してロック解除方向に係合する一方でロック方向には係合せずに所定量空走するよう設けたロック駆動部材と、
このロック駆動部材とハウジングとの間に介在して、ロック駆動部材をロック解除方向に付勢する解除用付勢手段と、
前記ロック駆動部材とロック部材との間に介在して、ロック部材をロック駆動部材に対してロック位置方向に付勢するロック用付勢手段と、
を設けたことを特徴とする手段とした。
【発明の効果】
【０００６】
本発明のステアリングロック装置は、以下のように作動する。
施錠時には、ロック部材がステアリングシャフトに係合するロック位置に配置されており、ステアリングシャフトの操舵を禁止する施錠状態となっている。
この施錠状態から外部の操作部に対して解錠操作を行うと、切替駆動手段にあっては、アクチュエータがロック解除駆動し、これにより、ロック駆動部材が解除用付勢手段に付勢されてロック解除方向に移動するとともに、ロック駆動部材とロック解除方向に係合するロック部材もロック解除方向に移動する。
こうしてロック部材がロック位置からロック解除位置に移動し、ステアリングシャフトとの係合が外れる。
これにより、ステアリングシャフトを操舵可能な解錠状態となる。
【０００７】
このように解錠を行う際に、ロック部材とステアリングシャフトとが噛込状態となって係合が外れない場合がある。
この噛込状態にあっては、ロック部材がロック位置に留まるため、ロック部材とロック解除方向に係合するロック駆動部材も解除用付勢手段の付勢力による移動が規制され、解除用付勢手段の付勢力がロック駆動部材ならびにこれに係合したロック部材に作用する状態に維持される。
よって、ステアリングシャフトに操舵力を加えてロック部材とステアリングシャフトとの噛込トルクが取り除かれたときには、ロック駆動部材とこれに係合したロック部材とが解除用付勢手段の付勢力によりハウジングに対してロック解除方向に移動し、ロック部材がロック位置からロック解除位置に移動し、解錠状態となる。
【０００８】
次に、解錠状態から外部の操作部に対して施錠操作を行った時には、切替駆動手段にあっては、アクチュエータがロック駆動し、ロック駆動部材が解除用付勢手段を変形させながらハウジングに対してロック位置方向へ移動し、さらに、このロック駆動部材の移動によりロック部材がロック用付勢手段により付勢されてロック位置方向へ移動する。
こうしてロック部材がロック位置に達した時点でステアリングシャフトと係合して操舵ができない施錠状態となる。
【０００９】
ところで、このように解錠状態から施錠状態とするときに、ロック部材とステアリングシャフトのロック穴などの係合対象との位置がずれて係合できない場合がある。
この場合、ロック部材はステアリングシャフトにより移動を規制されてロック解除状態に留まるのに対して、ロック部材に対してロック方向には係合しないロック駆動部材はアクチュエータの駆動に応じて解除用付勢手段を変形させながらロック方向へ移動して、ロック部材とロック駆動部材との間に介在されたロック用付勢手段を変形させ、このロック用付勢手段の復元力によりロック部材がロック位置方向へ付勢され続ける待受状態となる。
この待受状態では、その後、ステアリングシャフトを操舵してロック部材に対してロック穴などの係合対象の位置が一致して、ロック部材に対する移動規制が無くなると、ロック用付勢手段の復元力（付勢力）でロック部材がロック解除状態からロック位置へ移動して施錠状態となる。
【００１０】
次に、本発明では、切替駆動手段においてアクチュエータ側が破損して、ロック駆動部材に対するアクチュエータ側からの位置規制力が無くなった場合、ロック駆動部材が解除用付勢手段の付勢力でハウジングに対してロック解除方向へ移動する。したがって、このロック駆動部材にロック解除方向に係合したロック部材も、ロック位置からロック解除位置へ移動する。なお、この時ロック部材が噛込状態となっている時には、その後、噛込トルクが取り除かれた時点で、ロック解除位置へ移動する。
【００１１】
以上説明したように、本発明のステアリングロック装置にあっては、アクチュエータの駆動力をロック部材に伝達させるロック駆動部材とハウジングとの間にロック駆動部材をロック解除方向に付勢する解除用付勢手段を設け、アクチュエータが施錠駆動していない時には、ロック駆動部材が解除用付勢手段の付勢力によりロック解除位置へ配置されるとともに、ロック部材もロック駆動部材に係合してロック解除位置に配置されるようにしたため、解錠時にロック部材をロック解除位置に保持させる構造が不要となり、構成を簡略化して、装置の小型化ならびに製造コストの低減を図ることができるという効果が得られ、加えて、切替駆動手段のアクチュエータ側が破損した場合、ロック駆動部材ならびにロック部材が、解除用付勢手段の付勢力でロック解除位置に配置されて解錠状態となり、ステアリングシャフトの操舵性能を確保することができて使い勝手に優れるという効果が得られる。
また、ロック駆動部材を、解除用付勢手段によりロック解除方向に移動させる一方で、アクチュエータによりロック方向に移動させるように構成し、このロック駆動部材を保持する手段を設けない構成としたため、このロック駆動部材を移動させる手段である解除用付勢手段およびアクチュエータとして選択の幅が広がり、実際の車両への搭載に際して有利な手段となった。
さらに、解錠時にはロック部材をロック解除用付勢手段の付勢力によりロック解除位置へ移動させ、施錠時にはロック部材をロック用付勢手段の付勢力によりロック位置へ移動させるようにした。このため、ロック用付勢手段の付勢力を相対的に小さく抑えて待受状態からロック状態となった時にロック部材がステアリングシャフトに衝突することで発生する異音を小さく抑える一方で、解除用付勢手段の付勢力を相対的に強くして噛込時にロック部材に作用する力を強くして、噛込状態を早く解消できるように設定することが可能となる。
【発明を実施するための最良の形態】
【００１２】
以下に、本発明の実施の形態を図面に基づいて説明する。
（実施の形態１）
図１は実施の形態１のステアリングロック装置を示す断面図、図２は実施の形態１のステアリングロック装置を示す一部を切り欠いた斜視図である。
この 実施の形態１のステアリングロック装置は、請求項１および請求項２に記載の発明の実施態様であり、図１に示すように、ハウジング１を備えている。
このハウジング１は、図外のステアリングシャフトの外周に設けられたステアリングコラムの上面に取り付けられる基台１１と、この基台１１から上方に立ち上がって筒状に形成された支持用筒１２と、この支持用筒１２の上端に結合されたカバー１３と、前記支持用筒１２の隣に位置して前記基台１１から上方へ突出された下側ストッパ１４と、この下側ストッパ１４の上方に対向して前記カバー１３の下面に下方に突出されたスライド支持部１５とを備えている。
また、前記支持用筒１２の中間上部には、左右方向に貫通して上下に長いスライド用窓１２ｗが形成されている。
また、前記下側ストッパ１４の上面には、後述する解除用ばね３３の下端部が着座されるばね受部１４ａが形成されている。
なお、本実施の形態１では、前記ハウジング１を図外のステアリングコラムの上面に取り付けられている例を示しているが、ステアリングコラムの側面や下面に取り付けることも可能である。
【００１３】
前記ハウジング１の内部には、ロック部材２と切替駆動手段３が収容されている。
前記ロック部材２は、本実施の形態では、四角柱形状を成し、四角筒形状に形成された前記支持用筒１２の内部を図１において上下方向にスライド可能に支持されているもので、図１に示すように前記基台１１の下面に開口された開口部１６から下方に突出して図外のステアリングシャフトに形成されたロック穴に係合したロック位置と、図３（ａ）に示すように前記開口部１６からハウジング１内に収容されて図外のロック穴と係合しないロック解除位置とに往復移動可能に支持されている。
また、前記ロック部材２は、その中間部に図中左右方向に貫通した上下に長い長方形断面の空走用空間２ｂが形成されているとともに、この空走用空間２ｂの下面には、後述するロック用ばね３４の下端部が着座されるばね受部２ａが形成されている。
なお、前記ロック部材２、支持用筒１２および図外のロック穴は、本実施例のように断面四角形に形成する以外にも、他の多角柱形状や円柱形状に形成してもよい。
【００１４】
前記切替駆動手段３は、アクチュエータとしてのソレノイド３１と、ロック駆動部材３２と、解除用付勢手段としてのコイルばねにより形成された解除用ばね３３と、ロック用付勢手段としてのコイルばねにより形成されたロック用ばね３４とを備えている。
【００１５】
前記ロック駆動部材３２は、図１において左右方向に長い直方体形状に形成され、前記ロック部材２の空走用空間２ｂに対して上下移動可能に緩く嵌められた状態で図中左右方向に貫通され、さらに、前記空走用空間２ｂから突き出た部分が前記支持用筒１２の左右側面のスライド用窓１２ｗに対して上下移動可能に緩く嵌められているとともに、前記スライド用窓１２ｗの図中右側から右方向へ大きく突き出て配置されている。
前記ロック駆動部材３２は、前記ロック部材２に対してロック解除方向である図中上方へ空走用空間２ｂの上面に係合する一方、ロック方向である図中下方へは空走用空間２ｂの上下寸法分だけ相対移動可能に設けられている。また、前記スライド用窓１２ｗに対しても上下方向へスライドするもので、前記スライド用窓１２ｗに対して図１に示すように下端の位置を駆動時位置と称し、図２に示すように上端の位置を非駆動時位置と称する。
また、前記ロック駆動部材３２の下面において、前記ばね受部２ａと対向する部位に、前記ロック用ばね３４の上端部が着座されるばね受部３２ｃが形成され、前記下側ストッパ１４のばね受部１４ａに対向する部位に、前記解除用ばね３３の上端部が着座されるばね受部３２ｄが形成されている。
【００１６】
前記解除用ばね３３は、図示のように、前記ハウジング１に形成された前記下側ストッパ１４のばね受部１４ａと、前記ロック駆動部材３２の下面のばね受部３２ｄとにそれぞれ着座されて前記ロック駆動部材３２とハウジング１との間に介在され、前記ロック駆動部材３２を、図２に示す非駆動時位置まで押し上げる長さおよびばね力に設定されている。
【００１７】
前記ロック用ばね３４は、図１，２に示すように、前記ロック部材２の空走用空間２ｂにおいてロック部材２とロック駆動部材３２との間に介在されて前記ばね受部２ａ，３２ｃに着座され、図１に示すようにロック駆動部材３２が最もロック方向（下方）に移動した駆動時位置においてロック部材２を図示のようにロック位置に配置させることのできる長さおよびばね力に設定されている。
【００１８】
前記ソレノイド３１は、図１に示すように、前記ロック駆動部材３２が上下する範囲の図中右方向に設けられ、図外のキースイッチなどの操作部に対する操作に応じて駆動・駆動停止に切り替わるものであり、プランジャ３１ｐの先端には、カム部材３５が取り付けられている。このカム部材３５は、その上面が前記ハウジング１のスライド支持部１５に沿って左右に移動するよう配置されているとともに、図中左側面には右下がりのカム面３５ｃが形成されている。
そして、前記ソレノイド３１は、非駆動時（非吸引時）には、図１において実線で示すようにスプリング３１ｓの付勢力によりプランジャ３１ｐが左方向に押し出され、一方、駆動時（吸引時）には、プランジャ３１ｐが図において想像線で示すようにスプリング３１ｓの付勢力に抗して右方向へ引っ込む構成となっている。なお、この駆動時におけるプランジャ３１ｐの引っ込み量は、前記カム部材３５がロック駆動部材３２と上下方向で重なる状態を維持できる量に抑えられている。
【００１９】
次に、実施の形態１の作動を図１〜図３に基づいて説明する。
ａ）施錠時
図１は施錠状態を示している。
この施錠時には、ソレノイド３１が非通電状態（非吸引状態）となっており、プランジャ３１ｐおよびその先端のカム部材３５は、図中最も左に配置され、それによりロック駆動部材３２がカム部材３５のカム面３５ｃにより押し下げられ、図１に示すように、スライド用窓１２ｗに対して最も下がった駆動位置に配置される。
これにより、ロック部材２は、ロック用ばね３４により下方に押し下げられて図外のステアリングシャフトのロック穴に係合したロック位置に配置されている。よって、ステアリングシャフトは操舵不可能な施錠状態となっている。
【００２０】
ｂ）解錠時
図外の操作部を解錠操作すると（例えば、図外のキーを図外のキーロータに差し込んで「ＬＯＣＫ」位置から「ＡＣＣ」位置へ回すと）、ソレノイド３１に通電される。
このソレノイド３１への通電により吸引されたプランジャ３１ｐは、図３（ａ）に示すように図中右方にスライドし、それに伴って、カム部材３５も図中右方向に移動する。
これにより、ロック駆動部材３２が解除用ばね３３の付勢力で図３（ａ）に示す非駆動時位置までロック解除方向である上方に押し上げられ、それに伴って、このロック駆動部材３２に対して空走用空間２ｂの上端で係合したロック部材２が、図外のロック穴から引き上げられ、ステアリングシャフトとの係合が解除される。
これによりステアリングシャフトを操舵することが可能な解錠状態となる。
【００２１】
ｃ）噛込時
上述のｂ）で説明した解錠時において、ロック部材２が図外のロック穴に噛み込んでロック穴から抜けない場合がある。
この場合、解錠操作に伴うソレノイド３１の吸引駆動により、カム部材３５が図３（ｂ）に示すように図中右方向へ移動してロック駆動部材３２の上方移動に対する規制が無くなるが、ロック部材２が図示のように噛込トルクによりロック位置に留まるため、ロック駆動部材３２はロック部材２の空走用空間２ｂの上端に係合した状態に維持され、ロック駆動部材３２ならびにロック部材２は、解除用ばね３３の付勢力により上方に付勢された状態に維持される。
その後、ステアリングシャフトに操作力を加えるなどして噛込トルクが解放されと、その時点で、ロック駆動部材３２が解除用ばね３３の付勢力で上方の駆動時位置に向けて移動するとともに、これと係合するロック部材２が図３（ａ）に示すロック解除位置に引き上げられて解錠される。
【００２２】
ｄ）待受時
上述の解錠状態から図外の操作部を施錠操作すると（例えば、図外のキーを「ＡＣＣ」位置から「ＬＯＣＫ」位置へ回すと）、ソレノイド３１への通電が停止されて、プランジャ３１ｐおよびカム部材３５が、図３（ａ）に示す位置から図３（ｃ）に示す位置に左方向へ移動する。
これにより、ロック駆動部材３２は、カム部材３５のカム面３５ｃによりロック方向である下方へ押し下げられ、これに伴って、ロック部材２は、ロック用ばね３４の付勢力により下方に押されてロック位置へ移動し、図１に示す施錠状態となる。
ところが、この時、ロック部材２の位置と図外のステアリングシャフトのロック穴との位置とが、不一致であることがある。
この場合、図３（ｃ）に示すように、ロック部材２の下方移動が図外のステアリングシャフトに規制されてロック解除状態に留まるのに対して、ロック駆動部材３２はスライド用窓１２ｗに対して最も下がった駆動時位置へ移動する。これにより、両ばね３３，３４が短縮され、ロック部材２は、ロック用ばね３４の短縮量に応じたばね力で下方に押圧された状態に維持された待受状態となる。
したがって、この待受状態では、その後、図外のステアリングシャフトを操舵しようとして、そのロック穴の位置がロック部材２の位置に一致してロック部材２に対する移動規制が取り除かれた時点で、ロック部材２がロック用ばね３４のばね力で下方に押し下げられてロック穴と係合して、ステアリングシャフトの操舵が規制された施錠状態となる。
【００２３】
ｅ）破損時
ソレノイド３１のプランジャ３１ｐやカム部材３５が破損してソレノイド３１の駆動がロック駆動部材３２に伝達されない状態となった時には、ロック駆動部材３２は解除用ばね３３の付勢力で上端の駆動時位置へ押し上げられ、これに伴ってロック部材２もロック解除位置へ配置される。
したがって、この破損時に、施錠状態となることが無く、ステアリングシャフトの操舵が確保される。
【００２４】
以上説明したように、実施の形態１のステアリングロック装置にあっては、以下に述べる効果を奏する。
イ）ソレノイド３１によりロック駆動されるロック駆動部材３２を解除用ばね３３によりハウジング１に対してロック解除方向に付勢するとともに、このロック駆動部材３２をロック部材２に対してロック解除方向に係合させた構成としたため、ソレノイド３１から駆動力を伝達する部分が破損した時に、ロック部材２がロック解除位置に配置されてステアリングシャフトの操舵性能を確保することができ、ロック部材２およびロック駆動部材３２をロック解除位置に保持する機構が不要となり、装置をコンパクトおよび安価に製造することができる。
ロ）ロック駆動部材３２をロック部材２に対して左右方向に重ねて配置するとともに、ロック駆動部材３２を付勢する解除用ばね３３とロック部材２を付勢するロック用ばね３４とをロック駆動部材３２の下面に左右並列に配置したため、装置の上下方向寸法を抑えて装置をコンパクトに構成することができる。なお、この効果は、請求項２に記載の発明の効果に対応している。
このように両ばね３３，３４を並列に配置したことに加え、実施の形態１では、ソレノイド３１をロック駆動部材３２の側方に配置したため、さらに、装置の上下方向寸法を抑えてコンパクトに構成することができる。
ハ）解錠時にはロック部材２をロック解除用ばね３３の付勢力によりロック解除位置へ移動させ、施錠時にはロック部材２をロック用ばね３４の付勢力によりロック位置へ移動させるようにした。このため、ロック用ばね３４の付勢力を相対的に小さく抑えて待受状態からロック状態となった時にロック部材２がステアリングシャフトに衝突することで発生する異音を小さく抑える一方で、解除用ばね３３の付勢力を相対的に強くして噛込時にロック部材２を上方に引き上げる力を強くして、噛込状態を早く解消できるように設定することが可能となる。
ニ）ロック駆動部材３２を支持筒１２のスライド用窓１２ｗに挿入させ、解除用ばね３３によりスライド用窓１２ｗの上端の非駆動時位置に配置されるとともにカム部材３５の駆動によりスライド用窓１２ｗの下端の駆動時位置に配置されるようにし、また、このロック駆動部材３２をロック部材２の空走用空間２ｂに対してロック解除方向である上方に係合するようにしたため、ロック部材２のロック位置ならびにロック解除位置が、ハウジング１ならびにカム部材３５により決定される。よって、ロック部材２のロック位置ロック解除位置の設定が確実となり、装置の作動の確実性が向上する。
【００２５】
（他の実施の形態）
次に、他の実施の形態のステアリングロック装置について説明する。
なお、これら他の実施の形態を説明するにあたり、既に説明した構成と共通する構成には同じ符号を付けて説明を省略することとし、相違点についてのみ説明する。
【００２６】
（実施の形態２）
実施の形態２のステアリングロック装置について説明する。
この実施の形態２のステアリングロック装置は、請求項１および請求項２に記載の発明の実施態様で、実施の形態１とはアクチュエータおよびカム部材が相違しているもので、図４は実施の形態２のステアリングロック装置の施錠状態を示す断面図、図５は実施の形態２のステアリングロック装置の作動を示す断面図であり、（ａ）は解錠状態、（ｂ）は噛込状態、（ｃ）は待受状態を示している。
【００２７】
この実施の形態２のステアリングロック装置のカム部材２３５は、図中右方向に延びるアーム部２３５ａが設けられ、その下面にはラックギア２３５ｂが形成されている。
また、前記ラックギア２３５ｂには、図示を省略したアクチュエータとしてのモータにより回転される歯車２３１が噛み合わされている。
したがって、前記カム部材２３５は、モータを正逆回転することにより左右にスライドする。
【００２８】
次に、実施の形態２のステアリングロック装置の作動を説明する。
なお、この実施の形態２において切替駆動手段３の作動については、実施の形態１と同様であり、実施の形態１との相違点は、カム部材２３５の左右の移動を、実施の形態１ではソレノイドとスプリングの付勢力とにより行うようにしていたのに対し、この実施の形態２では、モータの正逆転により行うようにしている点である。
ａ２）施錠時
施錠時には、図４に示すように、実施の形態１と同様にロック駆動部材３２がカム部材２３５によりロック方向である下方へ押し下げられ、それに伴いロック部材２が図外のロック穴に係合したロック位置に配置されている。
これにより、ステアリングシャフトは操舵不可能な施錠状態となっている。
【００２９】
ｂ２）解錠時
この解錠時には、モータを正逆の一方に駆動させて、図５（ａ）に示すようにカム部材２３５を図中右方向へ移動させると、ロック駆動部材３２が解除用ばね３３の付勢力により上方に移動されるとともに、このロック駆動部材３２に係合したロック部材２が図外のロック穴から引き上げられ、係合が解除されて解錠状態となる。
【００３０】
ｃ２）噛込時
上述のｂ２）で説明した解錠時において、ロック部材２が図外のロック穴に噛み込んだ噛込時には、図５（ｂ）に示すように、ロック部材２がロック位置に留まるため、ロック駆動部材３２はロック部材２の空走用空間２ｂの上端に係合した位置に留まり、ロック駆動部材３２ならびにロック部材２は、解除用ばね３３の付勢力により上方へ付勢された状態に維持される。
したがって、その後、ステアリングシャフトに操作力を加えるなどして噛込トルクが解放された時点で、ロック駆動部材３２ならびにロック部材２が解除用ばね３３の付勢力で図５（ａ）に示すように上方に押し上げられて解錠される。
【００３１】
ｄ２）待受時
解錠状態から施錠操作を行うと、モータが正逆の他方へ回転されてカム部材２３５が、図５（ａ）に示す位置から図５（ｃ）に示す位置に左方向へ移動する。
これに伴って、ロック駆動部材３２は、カム部材２３５によりロック方向である下方へ押し下げられ、さらに、ロック部材２もロック用ばね３４の付勢力で下方に押されてロック位置へ移動し、図１に示す施錠状態となる。
また、この施錠時にロック部材２の位置と図外のステアリングシャフトのロック穴との位置とが不一致の場合、図５（ｃ）に示すように、ロック部材２は図外のステアリングシャフトにより下方移動が規制されてロック解除状態に留まり、ロック駆動部材３２のみが下端の駆動時位置へ移動する。これにより、両ばね３３，３４が短縮され、ロック部材２は、ロック用ばね３４のばね力で下方に押圧された状態に維持される。
その後、図外のステアリングシャフトを操舵しようとして、そのロック穴の位置がロック部材２の位置に一致してロック部材２に対する移動規制が取り除かれた時点で、ロック部材２がロック用ばね３４のばね力で下方に押し下げられてロック穴と係合して、ステアリングシャフトの操舵が規制された施錠状態となる。
【００３２】
以上説明したように、本実施の形態２のステアリングロック装置にあっては、実施の形態１と同様に、装置の破損時にステアリングシャフトの操舵性能を確保することができる効果、ロック部材２およびロック駆動部材３２をロック解除位置に保持する機構が不要となり、装置をコンパクトおよび安価に製造することができる効果、解除用ばね３３とロック用ばね３４とを左右に並列に並べて配置するとともに、アクチュエータをその側方に配置して、装置の装置の上下方向寸法を抑えてコンパクトに構成する効果、解除用ばね３３とロック用ばね３４との設定を独立して行って異音の発生を抑えることとロック部材２の噛込を早期に解消することの両立を図る効果、ロック部材２の位置の設定を確実として装置の作動の確実性が向上する効果を得ることができる。
【００３３】
（実施の形態３）
次に、実施の形態３のステアリングロック装置について説明する。
この実施の形態３のステアリングロック装置は、請求項１および請求項２に記載の発明の実施態様であり、実施の形態１とはアクチュエータおよびカム部材が相違するもので、図６は実施の形態３のステアリングロック装置の施錠状態を示す断面図、図７は実施の形態３のステアリングロック装置の作動を示す断面図であり、（ａ）は解錠状態、（ｂ）は噛込状態、（ｃ）は待受状態を示している。
【００３４】
実施の形態３のステアリングロック装置にあっては、前記ロック駆動部材３２の上方位置にカム部材３３５が設けられている。このカム部材３３５は、略卵形状を成し、図６において実線で示すように作動部３３５ａが下を向いてロック駆動部材３２を押し下げたロック駆動位置と、同図において想像線で示すように作動部３３５ａが横を向いた解除駆動位置とに偏心回動する。
なお、前記カム部材３３５の回動は、図外のアクチュエータとしてのモータやソレノイドなどにより行うことができる。
また、この実施の形態３では、支持用筒１２には、スライド用窓１２ｗが図中右側のみに設けられている。
【００３５】
次に、実施の形態３のステアリングロック装置の作動を説明する。
なお、この実施の形態３も切替駆動手段３の作動については、実施の形態１と同様である。
ａ３）施錠時
施錠時には、カム部材３３５が、図６において実線で示すロック駆動位置に配置されてロック駆動部材３２がロック方向である下方へ押し下げられ、それに伴いロック部材２が図外のロック穴に係合したロック位置に配置されている。
これにより、ステアリングシャフトは操舵不可能な施錠状態となっている。
【００３６】
ｂ３）解錠時
この解錠時には、図外のアクチュエータによりカム部材３３５を図７（ａ）に示すように横を向いた解除駆動位置に移動させ、これにより、ロック駆動部材３２が解除用ばね３３の付勢力により解除方向である上方に移動されるとともに、このロック駆動部材３２に係合したロック部材２が図外のロック穴から引き上げられ、係合が解除されて解錠状態となる。
【００３７】
ｃ３）噛込時
上述のｂ３）で説明した解錠時において、ロック部材２が図外のロック穴に噛み込んだ噛込時には、図７（ｂ）に示すように、ロック部材２がロック位置に留まるため、ロック駆動部材３２もロック部材２の空走用空間２ｂの上端位置に留まり、解除用ばね３３の付勢力によりロック駆動部材３２とロック部材２とが上方に付勢された状態に維持される。
したがって、その後、ステアリングシャフトに操作力を加えるなどして噛込トルクが解放された時点で、ロック駆動部材３２とロック部材２が解除用ばね３３の付勢力で図７（ａ）に示すように上方に押し上げられて解錠される。
【００３８】
ｄ３）待受時
解錠状態から施錠操作を行うと、カム部材３３５が、図７（ａ）に示す解除駆動位置から図７（ｃ）に示すロック駆動位置に回動する。
これに伴って、ロック駆動部材３２は、カム部材３３５によりロック方向である下方へ押し下げられ、さらに、ロック部材２もロック用ばね３４をの付勢力で下方に押されてロック位置へ移動し、図６に示す施錠状態となる。
また、この施錠時にロック部材２の位置と図外のステアリングシャフトのロック穴との位置とが、不一致でロック部材２の下方移動が規制されてロック解除状態に留まる場合、図７（ｃ）に示すように、ロック駆動部材３２はカム部材３３５に押されて下端の駆動時位置へ移動し、これにより、両ばね３３，３４が短縮され、ロック部材２は、ロック用ばね３４のばね力で下方に押圧された状態に維持される。
その後、図外のステアリングシャフトを操舵しようとして、そのロック穴の位置がロック部材２の位置に一致してロック部材２に対する移動規制が取り除かれた時点で、ロック部材２がロック用ばね３４のばね力で下方に押し下げられてロック穴と係合して、ステアリングシャフトの操舵が規制された施錠状態となる。
【００３９】
以上説明したように、本実施の形態３のステアリングロック装置にあっては、実施の形態１と同様に、装置の破損時にステアリングシャフトの操舵性能を確保することができる効果、ロック部材２およびロック駆動部材３２をロック解除位置に保持する機構が不要となり、装置をコンパクトおよび安価に製造することができる効果、解除用ばね３３とロック用ばね３４とを左右に並列に並べて配置して、装置の装置の上下方向寸法を抑えてコンパクトに構成する効果、解除用ばね３３とロック用ばね３４との設定を独立して行って異音の発生を抑えることとロック部材２の噛込を早期に解消することの両立を図る効果、ロック部材２の位置の設定を確実として装置の作動の確実性が向上する効果を得ることができる。
【００４０】
（実施の形態４）
次に、実施の形態４のステアリングロック装置について説明する。
この実施の形態４のステアリングロック装置は、請求項１および請求項３に記載の発明の実施態様であり、図８は実施の形態４のステアリングロック装置の施錠状態を示す断面図、図９は実施の形態４のステアリングロック装置の作動を示す断面図であり、（ａ）は噛込状態、（ｂ）は待受状態、（ｃ）は解錠状態を示している。
【００４１】
実施の形態４のステアリングロック装置にあっては、図外のステアリングコラムに固定されるハウジング４０１に、ロック部材４０２およびロック駆動部材４３２を上下にスライド自在に支持する支持用筒４１２が立設されている。
また、この支持用筒４１２は、前記ロック部材４０２を支持するロック部材支持部４１２ａと、このロック部材支持部４１２ａよりも内周が大きい上側のロック駆動部材支持部４１２ｂと、両支持部４１２ａ，４１２ｂとの間に内周差に基づいて形成された段差部４１２ｃとを備えている。
【００４２】
前記ロック部材４０２は、ハウジング４０１の開口部４１６から下方に突出して図外のステアリングシャフトのロック穴に係合するロック部４０２ａと、このロック部４０２ａの上端部に設けられ、ロック部材支持部４１２ａの下端に係合してロック部材４０２の下方移動をロック位置にて規制するストッパ部４０２ｂと、前記ロック部４０２ａから上方に延びて鉤形に形成された係合腕４０２ｃと、この係合腕４０２ｃの上面に形成されてロック用ばね４３４の下端が着座されるばね受部４０２ｄとを備えている。また、前記ロック部４０２ａと係合腕４０２ｃとの間には、上下方向の空走用空間４０２ｆが確保されているもので、この空走用空間４０２ｆの上下方向寸法は、ロック部材４０２のロック位置とロック解除位置とのストローク量に等しい寸法に形成されている。
【００４３】
実施の形態４における切替駆動手段４０３は、ロック駆動部材４３２の他に、解除用ばね４３３，ロック用ばね４３４，カム部材４３５を備えている。
前記ロック駆動部材４３２は、前記ロック部材４３２の図中上方に直列に設けられており、前記ロック駆動部材支持部４１２ｂに上下スライド自在に支持された本体４３２ａと、この本体４３２ａから前記ロック部材支持部４１２ａ内へ下方に延在されているとともに、前記ロック部材４０２の係合腕４０２ｃに対して上方のロック解除方向への相対移動で係合し、ロック方向に相対移動した時に空走するよう鉤形に形成された引上係合部４３２ｂと、前記本体４３２ａの下面に形成されて前記ロック用ばね４３４の上端部が着座されるばね受部４３２ｃとを備えている。
さらに、前記ロック駆動部材４３２の本体４３２ａの外周下面と段差部４１２ｃとの間には、ロック駆動部材４３２をロック解除方向に付勢する解除用ばね４３３が設けられている。
また、前記ロック用ばね４３４は、前記解除用ばね４３３よりも小径に形成されており、前記解除用ばね４３３の内側に略同軸に配置されて、ロック駆動部材４３２とロック部材４０２との各ばね受部４３２ｃ，４０２ｄに着座されて両者４３２，４０２の間に介在されている。
【００４４】
また、前記ロック駆動部材４３２の上方には、図外のアクチュエータにより偏心回動されるカム部材４３５が設けられている。
このカム部材４３５は、略卵形状を成し、図８に示すように、作動部４３５ａが下を向いてロック駆動部材４３２を押し下げたロック駆動位置と、図９（ｃ）に示すように、作動部４３５ａが横を向いた解除駆動位置とに回動する。なお、このカム部材４３５を回動させるアクチュエータとしてはモータやソレノイドなどを用いることができる。
【００４５】
次に、実施の形態４のステアリングロック装置の作動を図８および図９に基づいて説明する。
ａ４）施錠時
施錠時には、カム部材４３５が、図８に示すロック駆動位置に配置されてロック駆動部材４３２がロック方向である下方へ押し下げられ、それに伴いロック部材２がロック用ばね４３４に押し下げられて図外のロック穴に係合したロック位置に配置されている。
これにより、ステアリングシャフトは操舵不可能な施錠状態となっている。
【００４６】
ｂ４）解錠時
解錠時には、図外のアクチュエータによりカム部材４３５が図９（ｃ）に示すように横を向いた解除駆動位置に移動し、これにより、ロック駆動部材４３２が解除用ばね４３３の付勢力によりロック解除方向である上方に移動されるとともに、ロック部材４０２がロック穴から引き上げられて解錠状態となる。
【００４７】
ｃ４）噛込時
上述のｂ４）で説明した解錠時において、ロック部材４０２がロック穴に噛み込んだ噛込時には、図９（ａ）に示すように、ロック部材４０２がロック位置に留まる。したがって、カム部材４３５が横を向いた解除駆動位置に回動するのに対し、ロック駆動部材４３２は、引上係合部４３２ｂがロック部材４０２の係合腕４０２ｃと係合しているため、ロック時の位置に留まり、かつ、解除用ばね４３３の上方への付勢力がロック駆動部材４３２とロック部材４０２とに作用した状態に維持される。
したがって、その後、ステアリングシャフトに操作力を加えるなどして噛込トルクが解放された時点で、ロック部材４０２ならびにこれに係合したロック駆動部材４３２は、解除用ばね４３３の付勢力で図９（ｃ）に示すように上方に引き上げられて解錠される。
【００４８】
ｄ４）待受時
解錠状態から施錠操作を行うと、カム部材４３５が、図９（ｃ）に示す解除駆動位置から図９（ｂ）に示すロック駆動位置に回動する。
これに伴いロック駆動部材４３２は、カム部材４３５によりロック方向である下方へ押し下げられ、さらに、ロック駆動部材４３２とロック部材４０２との相対変位量に応じたロック用ばね４３４の短縮により発生するばね力でロック部材４０２も下方に押されてロック位置へ移動し、図８に示す施錠状態となる。
また、この施錠時にロック部材４０２の位置と図外のステアリングシャフトのロック穴との位置とが不一致でロック部材４０２の下方移動が規制される場合、図９（ｂ）に示すように、ロック駆動部材４３２がカム部材４３５により押し下げられるのに対しロック部材４０２はロック解除状態に留まり、これに伴い両ばね４３３，４３４が短縮され、ロック部材４０２は、ロック用ばね４３４のばね力で下方に押圧された状態に維持される。なお、この時、ロック駆動部材４３２の引上係合部４３２ｂは、ロック部材４０２の空走用空間４０２ｆを空走してロック部材４０２に対して相対変位する。
その後、ステアリングシャフトを操舵しようとして、そのロック穴の位置がロック部材４０２の位置に一致してロック部材４０２に対する移動規制が取り除かれた時点で、ロック部材４０２がロック用ばね４３４のばね力で下方に押し下げられてロック穴と係合して、ステアリングシャフトの操舵が規制された施錠状態となる。
【００４９】
ｅ４）破損時
カム部材４３５などが破損してアクチュエータの駆動がロック駆動部材４３２に伝達されない状態となった時には、ロック駆動部材４３２は解除用ばね４３３の付勢力で上方に押し上げられ、ロック部材４０２もロック駆動部材４３２の引上係合部４３２ｂに係合されてロック解除位置へ引き上げられる。
したがって、この破損時に、解錠状態となることが無く、ステアリングシャフトの操舵性能が確保される。
【００５０】
以上説明したように、本実施の形態４のステアリングロック装置にあっては、実施の形態１と同様に、装置の破損時にステアリングシャフトの操舵性能を確保することができる効果、ロック部材４０２およびロック駆動部材４３２をロック解除位置に保持する機構が不要となり、装置をコンパクトおよび安価に製造することができる効果、解除用ばね４３３とロック用ばね４３４との設定を独立して行って異音の発生を抑えることとロック部材２の噛込を早期に解消することの両立を図る効果、ロック部材４０２の位置の設定を確実として装置の作動の確実性が向上する効果が得られる。
また、実施の形態４では、ロック駆動部材４３２をロック部材２の上方に直列に設けるとともに、解除用ばね４３３とロック用ばね４３４とを略同軸に内外に並列に配置し、さらに、カム部材４３５をロック駆動部材４３２の上方に配置したため、装置の横方向寸法を抑えてコンパクトに構成することができるという効果を得ることができる。なお、この効果は、請求項３に記載の発明の効果に対応している。
さらに、実施の形態４では、ロック駆動部材４３２をロック部材２の上方に配置させて装置の横方向寸法を抑えた構成としていながらも、両ばね４３３，４３４を同軸に内外二重に配置したため、両ばねを直列に設けるのに比べて軸方向寸法が長くなるのを抑えることができる。
【００５１】
以上、本発明の実施の形態を図面に基づき説明してきたが、具体的な構成については、この実施の形態に限られるものではなく、特許請求の範囲の各請求項に係る発明の要旨を逸脱しない限り、設計の変更や追加等は許容される。
【００５２】
例えば、実施の形態１〜３では、解除用付勢手段ならびにロック用付勢手段として、コイルばねを示したが、各付勢手段は、それぞれ、ロック駆動部材およびロック部材を付勢可能な構成であれば、板ばねやゴム、流体ばねなど他の手段を用いてもよい。
【図面の簡単な説明】
【００５３】
【図１】実施の形態１のステアリングロック装置を示す断面図である。
【図２】実施の形態１のステアリングロック装置を示す一部を切り欠いた斜視図である。
【図３】実施の形態１のステアリングロック装置の作動を示す断面図で（ａ）は解錠状態、（ｂ）は噛込状態、（ｃ）は待受状態を示している。
【図４】実施の形態２のステアリングロック装置の施錠状態を示す断面図である。
【図５】実施の形態２のステアリングロック装置の作動を示す断面図であり、（ａ）は解錠状態、（ｂ）は噛込状態、（ｃ）は待受状態を示している。
【図６】実施の形態３のステアリングロック装置の施錠状態を示す断面図である。
【図７】実施の形態３のステアリングロック装置の作動を示す断面図であり、（ａ）は解錠状態、（ｂ）は噛込状態、（ｃ）は待受状態を示している。
【図８】実施の形態４のステアリングロック装置の施錠状態を示す断面図である。
【図９】実施の形態４のステアリングロック装置の作動を示す断面図であり、（ａ）は噛込状態、（ｂ）は待受状態、（ｃ）は解錠状態を示している。
【符号の説明】
【００５４】
１    ハウジング
２    ロック部材
３    切替駆動手段
３１    ソレノイド（アクチュエータ）
３１ｐ    プランジャ
３１ｓ    スプリング
３２    ロック駆動部材
３３    解除用ばね（解除用付勢手段）
３４    ロック用ばね（ロック用付勢手段）
３５    カム部材
２３１    歯車
２３５    カム部材
３３５    カム部材
４０１    ハウジング
４０２    ロック部材
４０２ｃ    係合腕
４０２ｆ    空走用空間
４０３    切替駆動手段
４３２    ロック駆動部材
４３２ｂ    引上係合部
４３３    解除用ばね（解除用付勢手段）
４３４    ロック用ばね（ロック用付勢手段）
４３５    カム部材
【図１】
2005053336.tif 000003
【図２】
2005053336.tif 000004
【図３】
2005053336.tif 000005
【図４】
2005053336.tif 000006
【図５】
2005053336.tif 000007
【図６】
2005053336.tif 000008
【図７】
2005053336.tif 000009
【図８】
2005053336.tif 000010
【図９】
2005053336.tif 000011